(57)【要約】ハンドブレーキアセンブリを備える摺動可能なウェイト棒アセンブリを有する運動装置は、支持フレームとともにウェイト棒アセンブリの係合及び解放のため、提供される。運動装置は、スクワット機器又はベンチプレスとして構成され得る。運動装置は、スクワット運動実行中の、操作者の背中の上部及び下部の適切な配置及び支持を容易にする、調整可能な背部支持体を含み得る。運動装置は、摺動可能なウェイト棒アセンブリの下方への移動の間に、運動負荷を増加させるスプリングアセンブリをさらに含む。あるいは、スプリングアセンブリは、ハンドブレーキシステムのない摺動可能なウェイト棒アセンブリを有する運動装置に組み込まれ得る。
2015533601.tif 000002
【特許請求の範囲】
【請求項１】
垂直摺動ポールを含む支持フレームと、
前記支持フレームの前記垂直摺動ポールに連結される摺動可能なウェイト棒アセンブリであって、前記垂直摺動ポールに沿ってガイドされた移動を可能とし、かつ、前記摺動可能なウェイト棒アセンブリを前記垂直摺動ポールに連結する中空摺動ガイドと、前記中空摺動ガイドから水平に延びる水平ウェイト棒とを含む摺動可能なウェイト棒アセンブリと、
各スプリングアセンブリが前記摺動可能なウェイト棒アセンブリの上方の高さで前記垂直摺動ポールの一つの周りに配置されるスプリングアセンブリであって、前記摺動可能なウェイト棒アセンブリの上方への移動の間に、前記中空摺動ガイドにより圧縮され、かつ、前記摺動可能なウェイト棒アセンブリの下方への移動の間に、解放され、前記摺動可能なウェイト棒アセンブリへの追加の下向きの力を生成するスプリングアセンブリとを含む運動装置。
【請求項２】
請求項１に記載の運動装置において、前記スプリングアセンブリの各々が所望の高さで前記垂直摺動ポールの各々の周りに調整可能に配置される運動装置。
【請求項３】
請求項２に記載の運動装置において、前記スプリングアセンブリの各々がスプリングに固定して連結されるベース部材を含み、前記ベース部材及び前記スプリングが前記垂直摺動ポールの各々に沿ってガイドされた移動を可能とする運動装置。
【請求項４】
請求項３に記載の運動装置において、前記スプリングアセンブリの各々が所望の高さで前記スプリングアセンブリを前記支持フレームに機械的に連結するための、前記ベース部材から突出した留め具をさらに含む運動装置。
【請求項５】
請求項４に記載の運動装置において、前記支持フレームが前記垂直摺動ポールの各々に対向する垂直部材を含み、前記支持フレームの前記垂直部材が異なる高さで複数のラッチ留め具を含み、前記ベース部材から突出した前記留め具が前記スプリングアセンブリを複数の前記ラッチ留め具の一つに機械的に連結する運動装置。
【請求項６】
請求項４に記載の運動装置において、前記スプリングアセンブリの前記ベース部材が前記留め具の前記支持フレームへの機械的連結及び分離を制御する第一のハンドルをさらに含む運動装置。
【請求項７】
請求項４に記載の運動装置において、前記スプリングアセンブリの前記ベース部材は、前記垂直摺動ポールの各々に沿った前記スプリングアセンブリの高さ調整の間における前記スプリングアセンブリのガイドされた移動を制御する第二のハンドルをさらに含む運動装置。
【請求項８】
請求項１に記載の運動装置において、前記摺動可能なウェイト棒アセンブリが、
前記中空摺動ガイドの外面に連結される一組のラッチアセンブリであって、前記支持フレームの複数の組のラッチ留め具と係合するための回動を可能とする一組のラッチアセンブリと、
首及び肩の領域の周りにヨークを形成するための、前記摺動可能なウェイト棒アセンブリから延びるアームハンドルと、
各ハンドブレーキアセンブリが前記アームハンドルの各々の末端に連結される一対のハンドブレーキアセンブリであって、前記ハンドブレーキアセンブリの各々が伝達ケーブルにより一組の前記ラッチアセンブリの各々の前記ラッチアセンブリにさらに連結され、前記ハンドブレーキアセンブリが前記摺動可能なウェイト棒アセンブリを前記支持フレームの複数の組の前記ラッチ留め具の一つから解放するための第一の位置、及び、前記摺動可能なウェイト棒アセンブリを前記支持フレームの複数の組の前記ラッチ留め具の一つに係合させるための第二の位置へと一組の前記ラッチアセンブリを回動させるように動作可能である一対のハンドブレーキアセンブリとをさらに含む運動装置。
【請求項９】
請求項１に記載の運動装置において、スクワット機器として構成される運動装置。
【請求項１０】
請求項１に記載の運動装置において、ベンチプレスとして構成される運動装置。
【請求項１１】
垂直摺動ポール及び複数の組のラッチ留め具を含む支持フレームと、
前記支持フレームの前記垂直摺動ポールに連結される摺動可能なウェイト棒アセンブリであって、前記垂直摺動ポールに沿ってガイドされた移動を可能とし、かつ、
前記摺動可能なウェイト棒アセンブリを前記垂直摺動ポールに連結する中空摺動ガイドと、
前記中空摺動ガイドから水平に延びる水平ウェイト棒と、
前記中空摺動ガイドの外面に連結される一組のラッチアセンブリであって、前記支持フレームの複数の組の前記ラッチ留め具と係合するための回動を可能とする一組のラッチアセンブリと、
首及び肩の領域の周りにヨークを形成するための、前記摺動可能なウェイト棒アセンブリから延びるアームハンドルと、
各ハンドブレーキアセンブリが前記アームハンドルの各々の末端に連結される一対のハンドブレーキアセンブリであって、前記ハンドブレーキアセンブリの各々が伝達ケーブルにより一組の前記ラッチアセンブリの各々の前記ラッチアセンブリにさらに連結され、前記ハンドブレーキアセンブリが前記摺動可能なウェイト棒アセンブリを前記支持フレームの複数の組の前記ラッチ留め具の一つから解放するための第一の位置、及び、前記摺動可能なウェイト棒アセンブリを前記支持フレームの複数の組の前記ラッチ留め具の一つに係合させるための第二の位置へと一組の前記ラッチアセンブリを回動させるように動作可能である一対のハンドブレーキアセンブリとを含む摺動可能なウェイト棒アセンブリとを含む運動装置。
【請求項１２】
請求項１１に記載の運動装置において、前記ハンドブレーキアセンブリの各々がレバーを含み、前記レバーが押圧された状態にあるとき、前記伝達ケーブルの各々が前記摺動可能なウェイト棒アセンブリを複数の組の前記ラッチ留め具の一つから解放するための前記第一の位置へ、一組の前記ラッチアセンブリを回動させる第一の機械的信号を伝達し、かつ、前記垂直摺動ポールに沿った前記摺動可能なウェイト棒アセンブリのガイドされた移動を可能とする運動装置。
【請求項１３】
請求項１２に記載の運動装置において、前記レバーが解放された状態にあるとき、前記伝達ケーブルの各々が前記摺動可能なウェイト棒アセンブリを複数の組の前記ラッチ留め具の一つに係合させるための前記第二の位置へ、一組の前記ラッチアセンブリを回動させる第二の機械的信号を伝達し、かつ、前記摺動可能なウェイト棒アセンブリのガイドされた移動を抑制する運動装置。
【請求項１４】
請求項１３に記載の運動装置において、前記摺動可能なウェイト棒アセンブリのガイドされた移動が下方向のみ抑制される運動装置。
【請求項１５】
請求項１１に記載の運動装置において、前記ラッチアセンブリの各々が、前記伝達ケーブルから第一の機械的信号又は第二の機械的信号を各々受信したとき、ラッチ部材を回動させるために圧縮又は復元されるスプリングをさらに含む運動装置。
【請求項１６】
請求項１１に記載の運動装置において、前記摺動可能なウェイト棒アセンブリが前記摺動可能なウェイト棒アセンブリに調整可能に連結される背部支持体をさらに含む運動装置。
【請求項１７】
請求項１１に記載の運動装置において、各スプリングが前記摺動可能なウェイト棒アセンブリの上方の高さで前記垂直摺動ポールの一つの周りに配置されるスプリングであって、前記摺動可能なウェイト棒アセンブリの上方への移動の間に、前記中空摺動ガイドにより圧縮され、かつ、前記摺動可能なウェイト棒アセンブリの下方への移動の間に、解放され、前記摺動可能なウェイト棒アセンブリへの追加の下向きの力を生成するスプリングを含む運動装置。
【請求項１８】
請求項１１に記載の運動装置において、スクワット機器として構成される運動装置。
【請求項１９】
請求項１１に記載の運動装置において、ベンチプレスとして構成される運動装置。
【発明の詳細な説明】
【技術分野】
【０００１】
本発明は一般に、運動装置、特にハンドブレーキアセンブリを備えた摺動可能なウェイト棒アセンブリを含む運動装置の構造及び使用方法に関する。本発明はまた、ハンドブレーキアセンブリを備えるか又は備えない、強化された同心及び偏心筋肉活動のための、摺動可能なウェイト棒アセンブリを係合可能なスプリングアセンブリを有する運動装置の構造及び使用方法に関する。
【背景技術】
【０００２】
人間の力、スタミナ及び体格を発達させるために用いられ得る、多くの異なる種類のフィットネス機器がある。フィットネス機器の種類の一つは、スクワット運動を行うことにより人間の脚の筋肉を強化するために用いられ得る、フリーウェイトスクワット機器である。フリーウェイトスクワット機器はまた、ベンチプレス等の別の運動を行うように再構成され得る。既知のフリーウェイトスクワット機器は典型的に、フリーウェイトを追加又は取外し得るよう、水平ウェイト棒を採用している。ウェイト棒は典型的に、運動中、棒のガイドされた移動を可能とする支持フレームに連結される。
【発明の概要】
【発明が解決しようとする課題】
【０００３】
このようなフィットネス機器の難点は、運動前後でウェイト棒を支持フレームにロックするために用いられる技術が扱いづらく、適切に行われなかった場合、怪我につながることである。また、既知のフリーウェイトスクワット機器に採用されるロック技術により、行われ得るスクワット運動の種類が制限される。ロックの問題以外に、このようなフィットネス機器を用いて行われる運動を通した筋肉活動は主に、ウェイト棒に適用されるフリーウェイトの量に基づく。
【課題を解決するための手段】
【０００４】
本発明の実施形態は、ハンドブレーキアセンブリを備える摺動可能なウェイト棒アセンブリを有する運動装置を含む。より詳細には、装置は、垂直摺動ポール及び複数の組のラッチ留め具を含む支持フレームを有する。摺動ポールに沿ってガイドされた移動を可能とする摺動可能なウェイト棒アセンブリは、摺動可能なウェイト棒アセンブリを垂直摺動ポールに連結する中空摺動ガイドと、中空摺動ガイドから水平に延びる水平ウェイト棒と、摺動ガイドの外面に連結される一組のラッチアセンブリであって、支持フレームの複数の組のラッチ留め具と係合するための回動を可能とする一組のラッチアセンブリと、首及び肩の領域の周りにヨークを形成するための、ウェイト棒アセンブリから延びるアームハンドルと、各ハンドブレーキアセンブリが各アームハンドルの末端に連結される一対のハンドブレーキアセンブリであって、各ハンドブレーキアセンブリが伝達ケーブルにより一組のラッチアセンブリの各ラッチアセンブリにさらに連結される一対のハンドブレーキアセンブリとを含む。ハンドブレーキアセンブリは、摺動可能なウェイト棒アセンブリを支持フレームの複数の組のラッチ留め具の一つから解放するための第一の位置、及び、摺動可能なウェイト棒アセンブリを支持フレームの複数の組のラッチ留め具の一つに係合させるための第二の位置へと一組のラッチアセンブリを回動させるように動作可能である。運動装置は、スクワット機器又はベンチプレスとして構成され得る。
【０００５】
特定の実施形態では、各ハンドブレーキアセンブリは、レバーを含む。レバーが押圧された状態にあるとき、各伝達ケーブルは、摺動可能なウェイト棒アセンブリを複数の組のラッチ留め具の一つから解放するための第一の位置へ、一組のラッチアセンブリを回動させる第一の機械的信号を伝達する。その結果、摺動ポールに沿った摺動可能なウェイト棒アセンブリのガイドされた移動が可能となる。逆に、レバーが解放された状態にあるとき、各伝達ケーブルは、摺動可能なウェイト棒アセンブリを複数の組のラッチ留め具の一つに係合させるための第二の位置へ、一組のラッチアセンブリを回動させる第二の機械的信号を伝達する。その結果、摺動ウェイト棒アセンブリのガイドされた移動が抑制される。特定の一実施形態では、摺動ウェイト棒アセンブリのガイドされた移動は、下方向のみ抑制される。各ラッチアセンブリは、伝達ケーブルから第一の機械的信号又は第二の機械的信号を各々受信したとき、ラッチ部材を回動させるために圧縮又は復元されるスプリングをさらに含み得る。
【０００６】
別の特定の実施形態では、ウェイト棒アセンブリは、摺動可能なウェイト棒アセンブリに調整可能に連結される背部支持体をさらに含み得る。
さらに別の特定の実施形態では、運動装置は、各スプリングが摺動可能なウェイト棒アセンブリの上方の高さで垂直摺動ポールの一つの周りに配置されるスプリングをさらに含み得る。ウェイト棒アセンブリの上方への移動の間、スプリングは中空摺動ガイドにより圧縮される。ウェイト棒アセンブリの下方への移動の間、スプリングは解放され、ウェイト棒アセンブリへの追加の下向きの力を生成する。
【０００７】
本発明の別の実施形態は、ハンドブレーキアセンブリを備えていない摺動可能なウェイト棒アセンブリを有する運動装置を含む。より詳細には、装置は、垂直摺動ポールを有する支持フレームを含む。摺動ポールに沿ってガイドされた移動を可能とする摺動可能なウェイト棒アセンブリは、摺動可能なウェイト棒アセンブリを垂直摺動ポールに連結する中空摺動ガイドと、中空摺動ガイドから水平に延びる水平ウェイト棒とを含む。運動装置はさらに、各スプリングアセンブリが摺動可能なウェイト棒アセンブリの上方の高さで垂直摺動ポールの一つの周りに配置され、ウェイト棒アセンブリの上方への移動の間、中空摺動ガイドにより圧縮され、ウェイト棒アセンブリの下方への移動の間、解放され、ウェイト棒アセンブリへの追加の下向きの力を生成するスプリングアセンブリを含む。
【０００８】
上記実施形態の何れかにおいて、各スプリングアセンブリは、所望の高さで各垂直摺動ポールの周りに調整可能に配置され得る。各スプリングアセンブリは、スプリングに固定して連結されるベース部材を含み得て、ベース部材及びスプリングは、各垂直摺動ポールに沿ってガイドされた移動を可能とする。各スプリングアセンブリは、所望の高さでスプリングアセンブリを支持フレームに機械的に連結するための、ベース部材から突出した留め具をさらに含み得る。支持フレームは、支持フレームの垂直部材が異なる高さで複数のラッチ留め具を含み、ベース部材から突出した留め具がスプリングアセンブリを複数のラッチ留め具の一つに機械的に連結し得るように、各垂直摺動ポールを対向させる垂直部材を含み得る。
【０００９】
上記実施形態の何れかにおいて、スプリングアセンブリのベース部材は、留め具の支持フレームへの機械的連結及び分離を制御する第一のハンドルと、各垂直摺動ポールに沿ったスプリングアセンブリの高さ調整の間の、スプリングアセンブリのガイドされた移動を制御する第二のハンドルとをさらに含み得る。
【００１０】
上記実施形態の何れかにおいて、運動装置は、スクワット機器又はベンチプレスとして構成され得る。この構造を有する別の運動装置の構成もまた、実現され得る。
本発明の上記及び別の目的、特徴並びに利点は、同様の参照文字が異なる図において同様の部分を指す、添付の図面に示される本発明の好ましい実施形態の、下記のより詳細な説明から明らかとなるであろう。図面は必ずしも一定の縮尺ではなく、むしろ本発明の原理を示すことに重点を置いている。
【図面の簡単な説明】
【００１１】
【図１】一実施形態に係るハンドブレーキアセンブリを備える摺動可能なウェイト棒アセンブリを含む運動装置を示す図である。
【図２】一実施形態に係る摺動可能なウェイト棒アセンブリの正面図である。
【図３】一実施形態に係る摺動可能なウェイト棒アセンブリに採用されるラッチアセンブリを示す図である。
【図４】一実施形態に係る摺動可能なウェイト棒アセンブリの背面図である。
【図５】第二の実施形態に係るハンドブレーキアセンブリを備える摺動可能なウェイト棒アセンブリを含む運動装置であって、スプリングアセンブリを含み、各スプリングアセンブリが摺動可能なウェイト棒アセンブリの上方の高さで垂直摺動ポールの一つに配置される運動装置を示す図である。
【図６】スプリングアセンブリの一実施形態を示す図である。
【図７】第三の実施形態に係り、ハンドブレーキアセンブリを有しない摺動可能なウェイト棒アセンブリの上方に配置されるスプリングアセンブリを含む運動装置を示す図である。
【発明を実施するための形態】
【００１２】
図１は、一実施形態に係るハンドブレーキアセンブリを備える摺動可能なウェイト棒アセンブリを含む運動装置を示す図である。
図１に示されるように、運動装置は、ベース１１５を有する支持フレーム１１０を含む。ベースから垂直に延びるのは、一対の垂直摺動ポール１２０である。摺動可能なウェイト棒アセンブリ１２５は、支持フレームの垂直摺動ポールに移動可能に連結されている。支持フレーム１１０はまた、摺動ポール１２０に平行にベース１１５から垂直に延びる、一対の垂直フレーム部材１３０を含む。各フレーム部材は、フレーム部材の外面から対向する摺動ポールに向かって延びる突出部１３５を有する。突出部１３５は好ましくは、各フレーム部材に沿い、垂直方向に等間隔をおいて配置される。以下でより詳細に議論されるように、フレーム部材の突出部１３５の水平の対は、摺動可能なウェイト棒アセンブリ上に配置される一対のラッチ留め具のための留め具として機能する。
【００１３】
図２は、一実施形態に係る摺動可能なウェイト棒アセンブリの正面図である。
図２に示されるように、摺動可能なウェイト棒アセンブリは、一対の垂直摺動ガイド１４０、水平ウェイト棒１４５、及び一つ以上の連結棒１５０の平面配置を含む。具体的には、一対の中空摺動ガイド１４０は、摺動可能なウェイト棒アセンブリを支持フレーム１１０の一対の垂直摺動ポール１２０に移動可能に連結する。中空摺動ガイドの摺動ポールへの連結は、摺動可能なウェイト棒アセンブリの上方及び下方へのガイドされた移動を容易にする。各中空摺動ガイドから延びるのは、フリーウェイト（図示なし）を追加又は取外し可能な水平ウェイト棒１４５である。
【００１４】
中空摺動ガイド１４０は、一つ以上の連結棒１５０により互いに固定して連結される。一つ以上の連結棒１５０は、一対の摺動ガイドの間に水平に配置され得る。一つ以上の連結棒１５０はまた、図２に示される平面配置を含んだ別の構成に配置され得る。
【００１５】
摺動可能なウェイト棒アセンブリの平面配置から外側に延びるのは、一対のアームハンドル１６０である。図２に示されるように、アームハンドルは、少なくとも一つの連結棒１５０から延び得る。アームハンドル１６０は、人間の首及び肩の領域の周りにヨークを形成する構成を有し得る。アームハンドル１６０及び連結棒１５０の部分は、このような領域を保護するため、当て物１６５で覆われ得る。また、一対のハンドブレーキアセンブリ１７０は、各アームハンドル１６０の末端に連結される。各ハンドブレーキアセンブリは、伝達ケーブル１８０によりラッチアセンブリ２００に間接的に連結されるレバー１７５を有し得る。図２に示されるように、ハンドブレーキアセンブリ１７０は、自転車に用いられる種類のものであり得る。
【００１６】
図３は、一実施形態に係る摺動可能なウェイト棒アセンブリに採用されるラッチアセンブリを示す図である。ラッチアセンブリ２００は、取付部材２０５、ラッチ部材２１０、及びスプリング２１５を含む。ラッチ部材２１０は、ピン２２０により取付部材に回動可能に連結されている。スプリング２１５は、取付部材２０５及びラッチ部材２１０の間に固定して連結されている。ラッチアセンブリ２００の取付部材２０５は、支持フレーム１１０の対向するフレーム部材１３０の突出部１３５を向くように、摺動ガイド１４０の外面に固定して連結されている。また、示されるように、ラッチ部材２１０はまた、伝達ケーブル１８０の遠位端に固定して連結されている。
【００１７】
動作中、ハンドブレーキアセンブリのレバー１７５が押圧された状態にあるとき（例えば、レバーが装置の操作者により握りしめられているとき）、各伝達ケーブル１８０は、ハンドブレーキアセンブリ１７０に向かって引き戻される。この機械的信号は、各スプリング２１５の圧縮を引き起こし、その結果、摺動可能なウェイト棒アセンブリ１２５を支持フレーム１３０の一対の水平なラッチ留め具１３５から解放する第一の位置へ、各ラッチ部材２１０をピン２２０の周りに回動させる。この第一の位置において、各ラッチ部材２１０は何れのラッチ留め具とも接触せず、操作者に、例えば摺動ポール１２０に沿った上方及び下方への摺動可能なウェイト棒アセンブリ１２５のガイドされた移動を伴うスクワット運動の実行を可能とさせる。
【００１８】
対照的に、ハンドブレーキアセンブリ１７０のレバー１７５が解放された状態にあるとき（例えば、操作者がレバーを握ることを停止したとき）、各伝達ケーブル１８０上のハンドブレーキアセンブリにより適用される張力、及びそれゆえに各スプリング２１５上の各伝達ケーブル１８０により適用される張力は、解放される。この機械的信号は、各スプリング２１５の復元を引き起こし、その結果、摺動可能なウェイト棒アセンブリを一対の水平なラッチ留め具１３５に係合させる第二の位置へ、各ラッチ部材２１０をピン２２０の周りに回動させる。この第二の位置において、各ラッチ部材２１０は一対の水平なラッチ留め具１３５に接触し、摺動可能なウェイト棒アセンブリのガイドされた移動を抑制する。
【００１９】
特定の実施形態では、解放された状態の間における第二の位置へのラッチアセンブリ２００の回動は、操作者に、摺動可能なウェイト棒アセンブリ１２５の下方への移動を阻止することを許容するが、上方への移動は抑制しない。例えば、図３を参照すると、摺動可能なウェイト棒アセンブリが解放された状態において上方に移動すると、ラッチ部材２１０は突出したラッチ留め具１３５に軽く接触し、取付部材２０５に向かってスプリング２１５に抗して回動する。ラッチ部材２１０が突出したラッチ留め具１３５を越えて上方への移動を続けると、ラッチ部材２１０は図３に示されるように、スプリング２１５の復元により回動して、第二の位置に戻る。各ラッチアセンブリのこの移動は、解放された状態において摺動可能なウェイト棒アセンブリの上方への移動が継続する限り、繰り返される。しかしながら、ひとたびウェイト棒アセンブリが下方への移動を始めると、ウェイト棒アセンブリのさらなる下方への移動は、ラッチアセンブリ２００に係合する支持フレームの次の一対の水平なラッチ留め具１３５によって定義される位置において阻止される。
【００２０】
この特定の実施形態の利点は、操作者に、爆発的な力の跳ね上げ又はスロー運動を行わせ得ることにある。このような運動において、操作者は自身の首及び肩を、摺動可能なウェイト棒アセンブリのアームハンドルに対して配置する。ウェイト棒アセンブリが所望の高さでない場合、操作者がハンドブレーキアセンブリのレバーを押し込み、摺動ポールに沿った摺動可能なウェイト棒アセンブリの自由な移動を可能とすることにより、その位置が変更され得る。ひとたび使用者が所望の位置にウェイト棒アセンブリを配置すると、操作者はレバーを解放し、ウェイト棒アセンブリを一対の水平なラッチ留め具に係合させるラッチアセンブリによって定義される位置にロックする。所望の高さがウェイト棒アセンブリの現在の位置より上方の場合、ブレーキレバーの使用は要求されない。このような場合、操作者はブレーキレバーを握りしめることなく、ウェイト棒アセンブリの上方への移動を行い得る。ひとたび所望の位置に到達すると、対応する一対の水平なラッチ留め具は上記のように、ウェイト棒アセンブリの下方への移動を自動的に阻止するであろう。
【００２１】
ハンドブレーキアセンブリが解放された状態で、操作者は、アームハンドルの強力な上方への移動によりウェイト棒アセンブリを跳ね上げ、あるいはスローし得る。摺動可能なウェイト棒アセンブリのガイドされた移動は、最高の高さに到達するまで、上方へ継続される。ひとたび最高の高さに到達すると、ウェイト棒アセンブリは、ラッチアセンブリを係合する支持フレームの次の一対の水平なラッチ留め具によって定義される位置において阻止されるまで、下降を開始する。その結果、このような運動は、操作者の筋肉又は背骨への損傷のリスクなく行われ得る。
【００２２】
図４は、一実施形態に係る摺動可能なウェイト棒アセンブリの背面図である。示されるように、背部支持体３００は、摺動可能なウェイト棒アセンブリ１２５に調整可能に連結される。背部支持体３００は、スクワット運動実行中の、操作者の背中の上部及び下部の適切な配置及び支持を容易にする。背部支持体３００は、一つ以上の連結棒１５０に連結され得る。例えば、示されるように、連結棒１５０は連結棒１５０の平面配置から垂直に延びる背部支持体取付部材１５５を含む。背部支持体３００は、背部支持体取付部材１５５が調整可能な位置で受け入れられてロックされる背部支持体における開口部を定義するレセプタ３１０を備えるように構成される。例えば、背部支持体レセプタ３１０は、背部支持体取付部材１５５のスプリング荷重ピン（図示なし）が所望の位置に背部支持体をロックするように配置可能な一連のロック穴を設け得る。所望の位置は、運動装置を用いる操作者の個人的寸法に依存する。ネジを備える留め具等の当業者に既知の別のロック技術は、背部支持体レセプタ３１０を背部支持体取付部材１５５に取り付けるために用いられ得る。
【００２３】
別の実施形態では、運動装置は、運動装置から完全に背部支持体を取り外し、摺動可能なウェイト棒アセンブリの下に当て物を入れたベンチを配置することにより、ベンチプレスとしての用途のために構成され得る。ウェイト棒アセンブリ１２５の制御は、上記同様に行われ得る。
【００２４】
図５は、第二の実施形態に係るハンドブレーキアセンブリを備える摺動可能なウェイト棒アセンブリを含む運動装置を示す図である。この実施形態において、運動装置は上記のものと同様であり、各垂直摺動ポール１２０の周りで、摺動可能なウェイト棒アセンブリ１２５の上方に配置されるスプリングアセンブリ４００をさらに含む。これらのスプリングアセンブリ４００の各々は、スプリング４１０に固定して連結される中空ベース部材４０５を含む。示されるように、中空ベース部材４０５及びスプリング４１０の組合せは各摺動ポール１２０を受け入れ、ベース部材４０５は所望の高さで摺動ポールに調整可能に取り付けられる。所望の高さは、運動装置の操作者に依存する。
【００２５】
好ましくは、ベースは、スプリング４１０が摺動可能なウェイト棒アセンブリ１２５の上方への移動（すなわち、正の、又は同心筋肉活動）の間、中空摺動ガイド１４０に接触するように、ベース部材４１０に対するスプリング４１０の圧縮（すなわち、スプリング荷重）を容易にする高さで取り付けられる。逆に、摺動可能なウェイト棒アセンブリの下方への移動（すなわち、負の、又は偏心活動）の間、スプリング４１０は復元されるように荷重エネルギーを解放し、その結果、下降するウェイト棒アセンブリ１２５の速度を増加させるであろう。ウェイト棒アセンブリへのこの追加の下向きの力は、操作者に、移動（すなわち、ウェイト棒アセンブリ１２５の下方への移動）の反転の次の段階の間、より重い運動負荷を処理しなければならなくする。この実施形態の利点は、高速な筋線維の発達を含み得る。
【００２６】
図６は、スプリングアセンブリの一実施形態を示す図である。示されるように、各スプリングアセンブリ５００は、スプリング５２０に固定して連結されるベース部材５１０を含む。各スプリングアセンブリのベース部材及びスプリングは、各垂直摺動ポール１２０に沿った上方及び下方の両方へのガイドされた移動を可能とする。所望の高さでスプリングアセンブリをロックするため、各スプリングアセンブリは、所望の高さでスプリングアセンブリを支持フレームに機械的に連結するための、ベース部材５１０から突出した留め具５３０をさらに含む。例えば、突出した留め具５３０は、スプリングアセンブリを、支持フレームの垂直フレーム部材１３０に沿って異なる高さに配置された、複数のラッチ留め具１３５の一つに機械的に連結し得る。
【００２７】
スプリングアセンブリの高さを調整するため、ベース部材５１０は、そのハウジングから延びるハンドル５４０及び５４５をさらに含む。示されるように、第一のハンドル５４０は留め具の支持フレームへの機械的連結及び分離を制御し、第二のハンドル５４５は各垂直摺動ポールに沿ったスプリングアセンブリの高さ調整の間の、スプリングアセンブリのガイドされた移動を制御する。
【００２８】
例えば、好ましくは上方又は下方へのハンドル５４０の手動移動は、突出した留め具５３０の往復運動を引き起こす。例えば、第一のハンドル５４０の下方への回動運動は、突出した留め具が各ラッチ留め具１３５から溝５１５を経由してベース部材５３０の中に戻るように回動することを引き起こす。下方への圧力が第一のハンドル５４０上に維持されると、留め具、ひいてはスプリングアセンブリが支持フレームから機械的に分離されたままとなる。
【００２９】
支持フレームから分離する間、第二のハンドル５４５は、垂直摺動ポールの周りの水平面内で回転され得て、スプリングアセンブリ全体の、元のラッチ留め具から離間する回転を引き起こす。その後、上方又は下方への圧力は第二のハンドル５４５に適用され、スプリングアセンブリ全体の垂直摺動ポールに沿った上方又は下方への移動を引き起こし得る。ひとたび所望の高さに到達すると、第二のハンドルは各ラッチ留め具に対して戻るように回転され得て、第一のハンドル５４０上の下方への圧力は解放され得る。結果として留め具は、所望の高さに対応する各ラッチ留め具に機械的に連結され得るため、その突出した位置に自動的に戻る。別の実施形態では、第二のハンドル５４５は回転される必要がなく、むしろ単に上方又は下方へ移動され得て、スプリングアセンブリ全体の垂直摺動ポールに沿った上方又は下方へのガイドされた移動を引き起こす。
【００３０】
図７は、第三の実施形態に係り、ハンドブレーキアセンブリを有しない摺動可能なウェイト棒アセンブリの上方に配置されるスプリングアセンブリを含む運動装置を示す図である。この実施形態において、運動装置は、ハンドブレーキシステムを備えていないことを除き、図５及び６に記載のものと同様である。例えば、図７に示されるように、運動装置はベース６１５を有する支持フレーム６００を含む。ベースから垂直に延びるのは、一対の垂直摺動ポール６２０である。摺動可能なウェイト棒アセンブリ６２５は、支持フレームの垂直摺動ポールに移動可能に連結される。支持フレーム６００はまた、摺動ポール６２０に平行に、ベース６１５から垂直に延びる一対の垂直フレーム部材６３０を含む。各フレーム部材は、フレーム部材の外面から対向する摺動ポールに向かって延びる突出部６３５を有する。突出部６３５は、図５〜６に記載のように、スプリングアセンブリ５００のラッチ留め具として役立つ。ラッチ留め具６３５は好ましくは、各フレーム部材に沿い、垂直方向に等間隔をおいて配置される。したがって、この図は、摺動可能なウェイト棒アセンブリを有するスクワット機器及びベンチプレスのような既存のフィットネス機器が、スプリングアセンブリ５００を含むように変更され得て、操作者に移動（すなわち、ウェイト棒アセンブリ１２５の下方への移動）の反転の次の段階の間、より重い運動負荷を処理することを要求することを示す。
【００３１】
本発明は好ましい実施形態を参照して特に示し、説明されてきたが、これは当業者に、様々な形態及び詳細の変更が、添付の特許請求の範囲により包含される発明の範囲から逸脱することなく、本明細書中でなされ得ると理解されるであろう。
【図１】
2015533601.tif 000003
【図２】
2015533601.tif 000004
【図３】
2015533601.tif 000005
【図４】
2015533601.tif 000006
【図５】
2015533601.tif 000007
【図６】
2015533601.tif 000008
【図７】
2015533601.tif 000009
【国際調査報告】
2015533601.tif 000010
2015533601.tif 000011
2015533601.tif 000012
2015533601.tif 000013
2015533601.tif 000014